(57)【特許請求の範囲】
【請求項１】
画面に表示される台紙、付箋の処理を行う情報処理装置であって、
台紙に付箋を貼り付ける前に、該付箋を貼り付ける位置の指定を受け付ける受付手段と、
前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段
を有し、
前記予め定められた条件として、前記指定された際の前記位置の近傍における他の第２の付箋が、前記貼り付ける際において予め定められた距離より遠く又は以上に移動したことである、
情報処理装置。
【請求項２】
画面に表示される台紙、付箋の処理を行う情報処理装置であって、
台紙に付箋を貼り付ける前に、該付箋を貼り付ける位置の指定を受け付ける受付手段と、
前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段
を有し、
前記予め定められた条件として、前記指定された際の前記位置の近傍になかった第２の付箋が、前記貼り付ける際においてあることである、
情報処理装置。
【請求項３】
画面に表示される台紙、付箋の処理を行う情報処理装置であって、
台紙に付箋を貼り付ける前に、該付箋を貼り付ける位置の指定を受け付ける受付手段と、
前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段
を有し、
前記予め定められた条件として、前記指定された際の前記位置に付箋を貼り付けたならば、該付箋と重なる第２の付箋が、前記貼り付ける際では重ならないことである、
情報処理装置。
【請求項４】
前記指定を行う操作者と前記第２の付箋に対する操作を行った操作者とは異なる者である、
請求項１から３のいずれか１項に記載の情報処理装置。
【請求項５】
画面に表示される台紙、付箋の処理を行うコンピュータを、
台紙に付箋を貼り付ける前に、該付箋を貼り付ける位置の指定を受け付ける受付手段と、
前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段
として機能させ、
前記予め定められた条件として、前記指定された際の前記位置の近傍における他の第２の付箋が、前記貼り付ける際において予め定められた距離より遠く又は以上に移動したことである、
情報処理プログラム。
【請求項６】
画面に表示される台紙、付箋の処理を行うコンピュータを、
台紙に付箋を貼り付ける前に、該付箋を貼り付ける位置の指定を受け付ける受付手段と、
前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段
として機能させ、
前記予め定められた条件として、前記指定された際の前記位置の近傍になかった第２の付箋が、前記貼り付ける際においてあることである、
情報処理プログラム。
【請求項７】
画面に表示される台紙、付箋の処理を行うコンピュータを、
台紙に付箋を貼り付ける前に、該付箋を貼り付ける位置の指定を受け付ける受付手段と、
前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段
として機能させ、
前記予め定められた条件として、前記指定された際の前記位置に付箋を貼り付けたならば、該付箋と重なる第２の付箋が、前記貼り付ける際では重ならないことである、
情報処理プログラム。
【発明の詳細な説明】
【技術分野】
【０００１】
本発明は、情報処理装置及び情報処理プログラムに関する。
【背景技術】
【０００２】
特許文献１には、台紙に付箋の貼り付けを行うと新着付箋としての表示を行う場合にあって、その新着付箋の状態が変化したにもかかわらず新着付箋としての表示を続けることを抑制するようにした情報処理装置を提供することを課題とし、情報処理装置の受付手段は、台紙に貼り付ける付箋を示す付箋情報を受け付け、表示手段は、前記受付手段によって受け付けられた付箋情報を新着付箋として台紙上に表示し、検知手段は、前記新着付箋の状態が変化したことを検知し、変更手段は、前記検知手段によって検知された新着付箋の表示を非新着付箋の表示へと変更させることが開示されている。
【０００３】
特許文献２には、第１の端末から送信されてきた第１の付箋情報を、第２の端末における台紙に貼り付ける処理を行うにあたって、有効とした作業用領域内に第１の付箋情報が送られてきたことを示すようにした情報処理装置を提供することを課題とし、情報処理装置の第１の受付手段は、第１の端末から、少なくとも第１の付箋情報を受け付け、第２の受付手段は、付箋情報を台紙に貼り付ける処理を行うための操作を受け付ける第２の端末から、第１の付箋情報を貼り付けるための作業を行う領域である作業用領域を有効とするための操作を受け付け、作成手段は、第２の受付手段が作業用領域を有効とする操作を受け付けた場合は、作業用領域に第１の付箋情報を貼り付けたことを示す画像を表示するための表示情報を作成することが開示されている。
【０００４】
特許文献３には、多拠点間で物理付箋と電子付箋を用いて情報共有する場合、電子付箋で表示している端末側で電子付箋を更新すると、物理付箋で表示している端末側は同期できないことを課題とし、クライアント端末であって、物理付箋の情報を取得して当該物理付箋に対応する電子付箋を生成する、もしくはユーザーから入力された情報にしたがって電子付箋を生成する生成手段と、他のクライアント端末と通信し、電子付箋の同期を行うデータ同期手段と、電子付箋を表示部により表示させる表示手段と、電子付箋に対応する物理付箋と自クライアント端末とが同じ拠点に位置するか否かを判定する判定手段とを有し、前記表示手段は、前記判定手段により電子付箋に対応する物理付箋と自クライアント端末とが同じ拠点に位置しないと判定した場合、当該電子付箋に対する操作を許可しない旨を前記表示部により表示させることが開示されている。
【先行技術文献】
【特許文献】
【０００５】
【特許文献１】特開２０１５−０８７７８９号公報
【特許文献２】特開２０１４−２２２４３５号公報
【特許文献３】特開２０１４−１１９９２４号公報
【発明の概要】
【発明が解決しようとする課題】
【０００６】
前述の特許文献に記載の技術では、電子付箋（電子カード等ともいわれる。以下、単に付箋という）に記入した後に、その付箋を台紙に貼り付けることが行われている。
ところで、会合の進め方又は参加者の思考によっては、付箋の位置を確保した上で、付箋の記入を行いたい場合がある。しかし、付箋の位置を確保した際と実際に貼り付ける際とで周囲の状況が異なった場合は、その位置がふさわしいとは限らない。
そこで、本発明は、台紙に付箋を貼り付ける前に、その付箋を貼り付ける位置を指定した場合に、指定された際と貼り付ける際の他の付箋の状態を比較して、警告を提示するようにした情報処理装置及び情報処理プログラムを提供することを目的としている。
【課題を解決するための手段】
【０００７】
かかる目的を達成するための本発明の要旨とするところは、次の各項の発明に存する。
請求項１の発明は、画面に表示される台紙、付箋の処理を行う情報処理装置であって、台紙に付箋を貼り付ける前に、該付箋を貼り付ける位置の指定を受け付ける受付手段と、前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段を有し、前記予め定められた条件として、前記指定された際の前記位置の近傍における他の第２の付箋が、前記貼り付ける際において予め定められた距離より遠く又は以上に移動したことである、情報処理装置である。
【０００８】
請求項２の発明は、画面に表示される台紙、付箋の処理を行う情報処理装置であって、台紙に付箋を貼り付ける前に、該付箋を貼り付ける位置の指定を受け付ける受付手段と、前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段を有し、前記予め定められた条件として、前記指定された際の前記位置の近傍になかった第２の付箋が、前記貼り付ける際においてあることである、情報処理装置である。
【０００９】
請求項３の発明は、画面に表示される台紙、付箋の処理を行う情報処理装置であって、台紙に付箋を貼り付ける前に、該付箋を貼り付ける位置の指定を受け付ける受付手段と、前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段を有し、前記予め定められた条件として、前記指定された際の前記位置に付箋を貼り付けたならば、該付箋と重なる第２の付箋が、前記貼り付ける際では重ならないことである、情報処理装置である。
【００１０】
請求項４の発明は、前記指定を行う操作者と前記第２の付箋に対する操作を行った操作者とは異なる者である、請求項１から３のいずれか１項に記載の情報処理装置である。
【００１１】
請求項５の発明は、画面に表示される台紙、付箋の処理を行うコンピュータを、台紙に付箋を貼り付ける前に、該付箋を貼り付ける位置の指定を受け付ける受付手段と、前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段として機能させ、前記予め定められた条件として、前記指定された際の前記位置の近傍における他の第２の付箋が、前記貼り付ける際において予め定められた距離より遠く又は以上に移動したことである、情報処理プログラムである。
請求項６の発明は、画面に表示される台紙、付箋の処理を行うコンピュータを、台紙に付箋を貼り付ける前に、該付箋を貼り付ける位置の指定を受け付ける受付手段と、前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段として機能させ、前記予め定められた条件として、前記指定された際の前記位置の近傍になかった第２の付箋が、前記貼り付ける際においてあることである、情報処理プログラムである。
請求項７の発明は、画面に表示される台紙、付箋の処理を行うコンピュータを、台紙に付箋を貼り付ける前に、該付箋を貼り付ける位置の指定を受け付ける受付手段と、前記位置に付箋を貼り付ける場合に、前記指定された際の該位置の近傍における他の付箋の状態と該貼り付ける際の該位置の近傍における他の付箋の状態とが予め定められた条件に合致する場合は、警告を提示する警告手段として機能させ、前記予め定められた条件として、前記指定された際の前記位置に付箋を貼り付けたならば、該付箋と重なる第２の付箋が、前記貼り付ける際では重ならないことである、情報処理プログラムである。
【発明の効果】
【００１２】
請求項１の情報処理装置によれば、台紙に付箋を貼り付ける前に、その付箋を貼り付ける位置を指定した場合に、指定された際と貼り付ける際の他の付箋の状態を比較して、警告を提示することができる。また、予め定められた条件として、指定された際の位置の近傍における他の第２の付箋が、貼り付ける際において予め定められた距離より遠く又は以上に移動したことを用いることができる。
【００１３】
請求項２の情報処理装置によれば、台紙に付箋を貼り付ける前に、その付箋を貼り付ける位置を指定した場合に、指定された際と貼り付ける際の他の付箋の状態を比較して、警告を提示することができる。また、予め定められた条件として、指定された際の位置の近傍になかった第２の付箋が、貼り付ける際においてあることを用いることができる。
【００１４】
請求項３の情報処理装置によれば、台紙に付箋を貼り付ける前に、その付箋を貼り付ける位置を指定した場合に、指定された際と貼り付ける際の他の付箋の状態を比較して、警告を提示することができる。また、予め定められた条件として、指定された際の位置に付箋を貼り付けたならば、その付箋と重なる第２の付箋が、貼り付ける際では重ならないことを用いることができる。
【００１５】
請求項４の情報処理装置によれば、指定を行う操作者とは異なる操作者が第２の付箋に対する操作を行った場合にも対応することができる。
【００１６】
請求項５の情報処理プログラムによれば、台紙に付箋を貼り付ける前に、その付箋を貼り付ける位置を指定した場合に、指定された際と貼り付ける際の他の付箋の状態を比較して、警告を提示することができる。また、予め定められた条件として、指定された際の位置の近傍における他の第２の付箋が、貼り付ける際において予め定められた距離より遠く又は以上に移動したことを用いることができる。
請求項６の情報処理プログラムによれば、台紙に付箋を貼り付ける前に、その付箋を貼り付ける位置を指定した場合に、指定された際と貼り付ける際の他の付箋の状態を比較して、警告を提示することができる。また、予め定められた条件として、指定された際の位置の近傍になかった第２の付箋が、貼り付ける際においてあることを用いることができる。
請求項７の情報処理プログラムによれば、台紙に付箋を貼り付ける前に、その付箋を貼り付ける位置を指定した場合に、指定された際と貼り付ける際の他の付箋の状態を比較して、警告を提示することができる。また、予め定められた条件として、指定された際の位置に付箋を貼り付けたならば、その付箋と重なる第２の付箋が、貼り付ける際では重ならないことを用いることができる。
【図面の簡単な説明】
【００１７】
【図１】本実施の形態の構成例についての概念的なモジュール構成図である。
【図２】本実施の形態を利用したシステム構成例を示す説明図である。
【図３】本実施の形態が使用される会議室等の例と、共有付箋情報処理装置、電子付箋端末の使用例を示す説明図である。
【図４】本実施の形態による処理例を示すフローチャートである。
【図５】本実施の形態による処理例を示す説明図である。
【図６】付箋情報テーブルのデータ構造例を示す説明図である。
【図７】付箋情報テーブルのデータ構造例を示す説明図である。
【図８】台紙情報テーブルのデータ構造例を示す説明図である。
【図９】履歴テーブルのデータ構造例を示す説明図である。
【図１０】本実施の形態による処理例を示す説明図である。
【図１１】本実施の形態による処理例を示すフローチャートである。
【図１２】本実施の形態による処理例を示す説明図である。
【図１３】本実施の形態による処理例を示す説明図である。
【図１４】本実施の形態による処理例を示す説明図である。
【図１５】本実施の形態を実現するコンピュータのハードウェア構成例を示すブロック図である。
【発明を実施するための形態】
【００１８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
本実施の形態である電子付箋制御装置１００と電子付箋端末１５０は、会合において用いられる付箋に関する処理を行うものであって、図１の例に示すように、電子付箋制御装置１００と電子付箋端末１５０は通信回線１９９によって接続されている。
電子付箋制御装置１００は、具体的には、付箋を用いて、ファシリテーター（一般的には１人）と複数人の参加者によって行われる会合（ワークショップ、会議、アイデア抽出会、検討会等）で利用される。参加者は参加者用端末としての電子付箋端末１５０を用いて、アイデア等が記載された付箋を作成する。一般的に、図３の例に示すように、電子付箋端末１５０として、各参加者が所持する電子付箋端末１５０Ａ、電子付箋端末１５０Ｂ等（以下、代表して電子付箋端末１５０という）のように複数ある。そして、電子付箋制御装置１００は、電子付箋端末１５０から付箋を受け取って、台紙（又は背景）上にその付箋を貼り付ける。ファシリテーターは電子付箋制御装置１００の表示装置である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００２０】
一般に、記入が済んだ付箋を台紙に貼り付けることが行われる。つまり、付箋の記入が先に行われ、台紙への貼り付けはその後である。
しかし、会合の進め方又は参加者の思考によっては、付箋の貼り付け位置を確保した上で、付箋の記入を行いたい場合がある。例えば、ある付箋Ａの内容によって刺激を受けて発想した場合に、時間を要する記入よりも先に、その付箋Ａに近い位置に貼り付けたい付箋Ｂがあることを表明したい場合がある。つまり、付箋Ａと付箋Ｂ（ただし未記入の状態である付箋）を関連付けておきたい場合である。例えば、付箋Ａが移動させられてしまい（実際、付箋が貼り付けられた後に、移動させられることは頻繁に発生する）、付箋Ｂを記入した後では、移動後の付箋Ａの位置を探さなければならないというような場合が発生するからである。このような場合、付箋Ｂ自体は記入がされていない状態であるが、付箋Ｂの貼り付け位置だけを確保したいということになる。
【００２１】
また、記入が済んだ付箋を台紙に貼り付けることのみを許す付箋システム（つまり、付箋を貼り付ける位置を決める操作とその付箋を実際に貼る付ける処理を同時に行うことだけができる付箋システム）では、ファシリテーターにとっては、実際に以下のような要望がある。なお、メインファシリテーター、サブファシリテーターがいるとする。そして、メインファシリテーターは、参加者から送られてくる付箋を整理することを行い、サブファシリテーターは、付箋の内容を理解しながら、幾つかの付箋を代表するグループ付箋を作成し、適切な位置に貼り付けることを行っている。
参加者同士の話の流れに合わせてタイミングよく台紙に付箋を貼り付けたいが、そのような付箋システムでは、付箋を書いて送信して台紙上で位置を決定する必要があるので、付箋を書いた状態で端末（電子付箋端末１５０に相当）に蓄積する必要がある。一方、付箋を書いたその場で貼り付け位置を決めないと、付箋作成者は「付箋を何処に貼るか」を覚えておく必要があり、そのような付箋が複数枚できると混乱してしまう。このため、付箋の作成と貼り付け位置を決める作業はその場でしたいという要望がある。なお、ここでの付箋の作成とは、新規な付箋（白紙付箋）の作成であって、内容の記載（付箋の完成）までは含めなくてもよい。
【００２２】
電子付箋制御装置１００は、データ送受信モジュール１０５、共有画面表示モジュール１１０、付箋操作処理モジュール１１５、共有画面付箋制御モジュール１２０、共有画面操作履歴記録モジュール１２５、近傍付箋判定モジュール１３０、付箋移動判定モジュール１３５を有している。電子付箋制御装置１００は、付箋を貼り付ける位置を決める操作（予約）と、その付箋を実際に貼る付ける処理は、別個に行うことができるものである。そのため、予約から実際に貼る付ける処理までの期間が発生し、その期間内に、元の付箋の移動等が行われる可能性がある。つまり、予約した時点の台紙上の付箋の状況と実際に貼る付ける時点の付箋の状況が異なることがあり得る。
【００２３】
データ送受信モジュール１０５は、共有画面付箋制御モジュール１２０と接続されており、また、通信回線１９９を介して電子付箋端末１５０のデータ送受信モジュール１５５と接続されている。データ送受信モジュール１０５は、電子付箋端末１５０との通信を行う。例えば、電子付箋端末１５０から付箋に関する情報、付箋の貼り付け位置の予約等を受け付ける。例えば、付箋に関する情報として、付箋情報テーブル６００を受け付ける。図６は、付箋情報テーブル６００のデータ構造例を示す説明図である。付箋情報テーブル６００は、付箋ＩＤ欄６１０、貼付位置欄６１５、サイズ欄６２０、作成日時欄６２５、作成者欄６３０、貼付日時欄６３５、色欄６４０、枠線形状欄６４５、枠線色欄６５０、枠線太さ欄６５５、所属グループ欄６６０、内容種別欄６６５、内容欄６７０を有している。付箋ＩＤ欄６１０は、付箋を、本実施の形態において一意に識別するための情報（付箋ＩＤ：ＩＤｅｎｔｉｆｉｃａｔｉｏｎ）を記憶している。貼付位置欄６１５は、その付箋が貼り付けられる位置を記憶している。つまり、台紙上の貼り付け位置を記憶している。例えば、台紙のＸＹ座標系における座標である。サイズ欄６２０は、その付箋のサイズを記憶している。例えば、表示する付箋が矩形である場合は、幅と高さを記憶している。作成日時欄６２５は、その付箋が作成された日時（年、月、日、時、分、秒、秒以下、又はこれらの組み合わせであってもよい）を記憶している。作成者欄６３０は、その付箋の作成者（作成者ＩＤ）を記憶している。又は、その付箋が作成された情報処理装置（電子付箋端末１５０又は電子付箋制御装置１００の機器ＩＤ）を記憶してもよい。貼付日時欄６３５は、その付箋が台紙に貼り付けられた日時を記憶している。色欄６４０は、その付箋の表示色を記憶している。枠線形状欄６４５は、その付箋の表示における枠線の形状（実線、点線、破線、波線、二重線等）を記憶している。枠線色欄６５０は、その付箋の表示における枠線の色を記憶している。枠線太さ欄６５５は、その付箋の表示における枠線の太さを記憶している。所属グループ欄６６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。内容種別欄６６５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄６７０は、その付箋に書き込まれている内容を記憶している。
【００２４】
ここで、データ送受信モジュール１０５が受け付ける「付箋の貼り付け位置の予約」とは、台紙に付箋を貼り付ける前に行う、その付箋を貼り付ける位置の指定である。つまり、実際に付箋を貼り付けるのではなく、将来的に付箋の貼り付けを行うに際して、その貼り付け位置を指定するものである。例えば、付箋情報テーブル６００内の付箋ＩＤ欄６１０、貼付位置６１５によって構成されたデータを受信し、その受信した日時を「付箋の貼り付け位置が指定された日時」としてもよい。また、付箋情報テーブル６００内の付箋ＩＤ欄６１０、貼付位置６１５、作成日時欄６２５によって構成されたデータを受信し、作成日時欄６２５内の日時を「付箋の貼り付け位置が指定された日時」としてもよい。
また、データ送受信モジュール１０５は、電子付箋端末１５０に対して、共有画面表示モジュール１１０が表示している共有画面（付箋が貼り付けられている台紙）の縮小画像（サムネイル）等を、電子付箋端末１５０に送信してもよい。
【００２５】
なお、データ送受信モジュール１０５が、付箋の貼り付け位置の予約を受け付けるのは、電子付箋端末１５０においてその予約が行われたときであってもよいし、電子付箋端末１５０から完成された付箋を受信し、予約はその付箋に付加されていてもよい。前者である場合は、その予約位置に将来的に付箋が貼り付けられるということを示す図形を台紙上に表示するようにしてもよい。この場合、他の参加者も将来的に、その位置に付箋が貼り付けられることを知ることができる。また、後者である場合であっても、電子付箋端末１５０の操作者（参加者）は、付箋の貼り付けておく位置を覚えておく必要が減少すること（覚えておく必要がないことを含む）となる。
【００２６】
共有画面表示モジュール１１０は、共有画面付箋制御モジュール１２０と接続されている。共有画面表示モジュール１１０は、電子付箋制御装置１００に接続されている液晶ディスプレイ（特に大型液晶ディスプレイ）等の表示装置への表示を制御する。ファシリテーター等の操作を反映したり、電子付箋端末１５０から送信されてきた付箋を表示したりする。
付箋操作処理モジュール１１５は、共有画面付箋制御モジュール１２０と接続されている。付箋操作処理モジュール１１５は、ファシリテーター等による付箋の操作を受け付け、その操作にしたがった処理を行う。ここで操作として、例えば、付箋の移動、拡大・縮小、付箋の属性（例えば、色等）の変更、グループ化等がある。
【００２７】
共有画面付箋制御モジュール１２０は、データ送受信モジュール１０５、共有画面表示モジュール１１０、付箋操作処理モジュール１１５、共有画面操作履歴記録モジュール１２５、近傍付箋判定モジュール１３０、付箋移動判定モジュール１３５と接続されている。共有画面付箋制御モジュール１２０は、台紙に貼り付けられた付箋の制御を行う。例えば、付箋情報テーブル７００を用いて付箋を制御する。図７は、付箋情報テーブル７００のデータ構造例を示す説明図である。付箋情報テーブル７００は、付箋ＩＤ欄７１０、貼付位置欄７１５、サイズ欄７２０、作成日時欄７２５、作成者欄７３０、貼付日時欄７３５、更新中欄７４０、更新者欄７４５、色欄７５０、枠線形状欄７５５、枠線色欄７６０、枠線太さ欄７６５、所属グループ欄７７０、選択回数欄７７５、接続付箋数欄７８０、接続付箋ＩＤ欄７８５、接続方向欄７９０、内容種別欄７９５、内容欄７９７を有している。付箋情報テーブル７００は、付箋情報テーブル６００に更新中欄７４０、更新者欄７４５、選択回数欄７７５、接続付箋数欄７８０、接続付箋ＩＤ欄７８５、接続方向欄７９０を付加したものである。付箋ＩＤ欄７１０は、付箋を、本実施の形態において一意に識別するための情報（付箋ＩＤ）を記憶している。貼付位置欄７１５は、その付箋が貼り付けられている位置を記憶している。つまり、台紙上の位置を記憶している。例えば、台紙のＸＹ座標系における座標である。具体的には、付箋操作処理モジュール１１５の移動処理によって特定された位置である。サイズ欄７２０は、その付箋のサイズを記憶している。例えば、表示する付箋が矩形である場合は、幅と高さを記憶している。作成日時欄７２５は、その付箋が作成された日時を記憶している。作成者欄７３０は、その付箋の作成者（作成者ＩＤ）を記憶している。又は、その付箋が作成された情報処理装置（電子付箋端末１５０又は電子付箋制御装置１００の機器ＩＤ）を記憶してもよい。貼付日時欄７３５は、その付箋が台紙に貼り付けられた日時を記憶している。更新中欄７４０は、その付箋が更新中であるか否かを示す情報（フラグ）を記憶している。更新者欄７４５は、その更新を行っている更新者（ユーザーＩＤ）を記憶している。更新者は、１人であってもよいし、複数人であってもよい。色欄７５０は、その付箋の表示色を記憶している。例えば、更新中であることを示す表示色がある。枠線形状欄７５５は、その付箋の表示における枠線の形状（実線、点線、破線、波線、二重線等）を記憶している。例えば、更新中であることを示す枠線形状がある。枠線色欄７６０は、その付箋の表示における枠線の色を記憶している。例えば、更新中であることを示す枠線色がある。枠線太さ欄７６５は、その付箋の表示における枠線の太さを記憶している。例えば、更新中であることを示す枠線太さがある。所属グループ欄７７０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。選択回数欄７７５は、その付箋が選択された回数を記憶している。例えば、議題選択操作による選択回数としてもよい。接続付箋数欄７８０は、その付箋に対して接続された付箋の数を記憶している。その数の分だけ、次の接続付箋ＩＤ欄７８５と接続方向欄７９０が繰り返される。接続付箋ＩＤ欄７８５は、その付箋に対して接続された付箋の付箋ＩＤを記憶している。接続付箋ＩＤは、例えば、対象となっている付箋と関連している第２の付箋を抽出するのに用いられる。接続方向欄７９０は、その付箋と直前の接続付箋ＩＤ欄７８５の付箋との接続方向を記憶している。その付箋（又は、直前の接続付箋ＩＤ欄７８５の付箋）が、上流（接続元）、下流（接続先）のいずれかであることを示す情報であってもよいし、上流（又は、下流）にある付箋の付箋ＩＤであってもよい。また、無方向の接続である場合は、空白（ＮＵＬＬ）であってもよいし、接続方向欄７９０そのものがなくてもよい。接続方向は、例えば、更新対象となっている付箋と関連している第２の付箋との位置関係を示していることになり、その第２の付箋が移動した場合は、この位置関係を保持したまま移動することになる。内容種別欄７９５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄７９７は、その付箋に書き込まれている内容を記憶している。なお、付箋が台紙に貼り付けられていない状態では、貼付位置欄７１５等は空白（ＮＵＬＬ）であってもよいし、予め定められた値（デフォルト値）としてもよい。
【００２８】
また、共有画面付箋制御モジュール１２０は、台紙の制御を行う。例えば、台紙情報テーブル８００を用いて台紙を制御する。図８は、台紙情報テーブル８００のデータ構造例を示す説明図である。台紙情報テーブル８００は、台紙ＩＤ欄８１０、台紙パターン欄８１５、作成日時欄８２０、作成者欄８２５を有している。台紙ＩＤ欄８１０は、本実施の形態において、台紙を一意に識別するための情報（台紙ＩＤ）を記憶している。台紙パターン欄８１５は、背景となる台紙パターンを記憶している。例えば、白紙、表形式のパターン等がある。作成日時欄８２０は、その台紙の作成日時を記憶している。作成者欄８２５は、その台紙の作成者を記憶している。
【００２９】
共有画面付箋制御モジュール１２０は、電子付箋端末１５０から、データ送受信モジュール１０５を介して、台紙に付箋を貼り付ける前に、その付箋を貼り付ける位置の指定を受け付ける。
そして、共有画面付箋制御モジュール１２０は、指定された位置に付箋を貼り付ける場合に、指定された際のその位置の近傍における他の付箋の状態とその貼り付ける際のその位置の近傍における他の付箋の状態との比較結果が予め定められた条件に合致する場合は、警告を提示する。つまり、位置の予約が行われたとき（過去）と、実際に付箋を貼り付けるとき（現在）の状態を比較し、変化があった場合は、その位置に貼り付けることに対して注意を促す警告を提示する。警告の提示として、例えば、表示装置に警告文を表示すること、スピーカー等の音声出力装置から警告音声を出力すること、振動等、電子付箋端末１５０への通知等、これらの組み合わせがある。したがって、警告の提示を電子付箋制御装置１００が行ってもよいし、その付箋を送信してきた電子付箋端末１５０に警告の提示を行わせるようにしてもよいし、その両方であってもよい。
また、警告として、付箋の貼り付け位置の候補を提示してもよい。貼り付け位置の候補は、予約した位置以外の位置であり、例えば、移動した付箋の位置の近傍としてもよい。
【００３０】
「予め定められた条件（Ａ）」として、位置が指定された際のその位置の近傍における他の付箋が、貼り付ける際において予め定められた距離より遠く又は以上に移動したことであってもよい。具体的には、付箋の作成を開始した際（位置予約した際）は、付箋Ａの近傍に近い位置に貼り付けることを前提としていたにもかかわらず、実際に貼り付ける前にその付箋Ａが移動した場合が該当する。ただし、微小な移動（予め定められた距離以下又は未満）では警告を提示する必要はないようにしている。
【００３１】
また、「予め定められた条件（Ｂ）」として、指定された際のその位置の近傍になかった付箋が、貼り付ける際においてあることであってもよい。前述の場合と逆の場合であって、具体的には、付箋の作成を開始した際（位置予約した際）は、空白又は付箋Ｂと離れている位置に貼り付けることを前提としていたにもかかわらず、実際に貼り付ける前に空白ではなくなった場合、又は付箋Ｂが近くになった場合が該当する。
【００３２】
また、「予め定められた条件（Ｃ）」として、指定された際のその位置に付箋を貼り付けたならば、その付箋と重なる付箋が、貼り付ける際では重ならないことであってもよい。具体的には、付箋の作成を開始した際（位置予約した際）は、付箋Ｃの上に重複させることを前提としていたにもかかわらず、実際に貼り付ける前に付箋Ｃが移動してしまった場合が該当する。
【００３３】
「指定された際のその位置の近傍における他の付箋の状態」は、共有画面操作履歴記録モジュール１２５から抽出する。つまり、「他の付箋の状態」は、台紙における過去（付箋を貼り付ける位置の指定が行われたとき）の操作履歴から判断すればよい。
また、近傍の付箋については、近傍付箋判定モジュール１３０による処理結果を用いる。ここで「近傍」とは、対象としている付箋（位置指定された付箋）と他の付箋（台紙に貼り付けられている付箋）との距離が予め定められた距離以内であることをいう。ここで、付箋間の距離は、付箋内の予め定められた位置間の距離（例えば、両付箋の中心間の距離、両付箋の右上角間の距離等）であってもよいし、付箋間の最も短い空白の距離であってもよい。また、両付箋が重なっていることを含めてもよい。
また、過去（付箋を貼り付ける位置の指定が行われたとき）の状態と現在（実際に付箋を貼り付けるとき）の状態との比較は、付箋移動判定モジュール１３５による処理結果を用いる。
【００３４】
共有画面操作履歴記録モジュール１２５は、共有画面付箋制御モジュール１２０と接続されている。共有画面操作履歴記録モジュール１２５は、電子付箋制御装置１００で行われた操作者（例えば、ファシリテーター等）の操作の履歴を記憶する。例えば、履歴テーブル９００を記憶する。図９は、履歴テーブル９００のデータ構造例を示す説明図である。履歴テーブル９００は、ＩＤ欄９１０、日時欄９１５、操作欄９２０、操作対象欄９２５を有している。ＩＤ欄９１０は、履歴のＩＤを記憶している。日時欄９１５は、操作が行われた日時を記憶している。操作欄９２０は、操作を記憶している。操作対象欄９２５は、操作対象（具体的には、付箋ＩＤ等）を記憶している。
【００３５】
近傍付箋判定モジュール１３０は、共有画面付箋制御モジュール１２０と接続されている。近傍付箋判定モジュール１３０は、対象としている付箋（位置指定された付箋）の近傍の領域の状態を抽出する。例えば、その領域内にある付箋を抽出する。共有画面付箋制御モジュール１２０の制御によって、過去である位置予約した際の近傍の領域の状態と、現在である付箋を貼り付ける際の近傍の領域の状態を抽出する。したがって、その状態の差分を抽出することによって、領域外に移動した付箋、領域内に移動してきた付箋（過去の時点では存在していなかったが、現在の時点ではその領域内に貼り付けられている付箋を含む）を抽出することができる。
付箋移動判定モジュール１３５は、共有画面付箋制御モジュール１２０と接続されている。付箋移動判定モジュール１３５は、近傍付箋判定モジュール１３０によって抽出された付箋の移動距離を算出する。前述した「予め定められた距離」との比較に用いられ、共有画面付箋制御モジュール１２０によって警告を提示するか否かの判断に用いられることになる。
【００３６】
電子付箋端末１５０は、データ送受信モジュール１５５、共有画面表示モジュール１６０、付箋操作処理モジュール１６５、付箋作成モジュール１７０、端末付箋制御モジュール１７５、端末付箋位置指定記録モジュール１８０、共有画面貼り付け位置確定処理モジュール１８５を有している。
データ送受信モジュール１５５は、端末付箋制御モジュール１７５と接続されており、また、通信回線１９９を介して電子付箋制御装置１００のデータ送受信モジュール１０５と接続されている。データ送受信モジュール１５５は、電子付箋制御装置１００との通信を行う。例えば、付箋に関する情報（付箋情報テーブル６００）、付箋の貼り付け位置の予約等を電子付箋端末１５０に送信する。具体的には、前述したように、付箋に関する情報として付箋情報テーブル６００があり、付箋の貼り付け位置の予約として、付箋情報テーブル６００内の付箋ＩＤ欄６１０、貼付位置６１５、作成日時欄６２５がある。また、電子付箋制御装置１００から共有画面の縮小画像等を受け付ける。
共有画面表示モジュール１６０は、端末付箋制御モジュール１７５と接続されている。共有画面表示モジュール１６０は、データ送受信モジュール１０５が受信した共有画面の縮小画像を、電子付箋端末１５０の液晶ディスプレイ等の表示装置に表示する。そして、この共有画面の縮小画像は、「付箋の貼り付け位置の指定」に用いられる。つまり、共有画面の縮小画像上で、「付箋の貼り付け位置の指定」を行う。
【００３７】
付箋操作処理モジュール１６５は、端末付箋制御モジュール１７５と接続されている。付箋操作処理モジュール１６５は、ユーザーの操作にしたがって付箋に関する処理が行われる。例えば、付箋の移動指示、付箋の属性変更指示等が行われる。
付箋作成モジュール１７０は、端末付箋制御モジュール１７５と接続されている。付箋作成モジュール１７０は、ユーザーの操作にしたがって付箋の作成処理を行う。
端末付箋制御モジュール１７５は、データ送受信モジュール１５５、共有画面表示モジュール１６０、付箋操作処理モジュール１６５、付箋作成モジュール１７０、端末付箋位置指定記録モジュール１８０、共有画面貼り付け位置確定処理モジュール１８５と接続されている。端末付箋制御モジュール１７５は、ユーザーの操作にしたがって付箋に関する処理を行い、電子付箋制御装置１００に処理結果（指定等）を送信する。
端末付箋位置指定記録モジュール１８０は、端末付箋制御モジュール１７５と接続されている。端末付箋位置指定記録モジュール１８０は、付箋を作成するにあたって、ユーザーの操作にしたがって、その付箋の貼り付け位置を予め決めておくもの（位置の予約）である。前述したように付箋の貼り付け位置の予約として、付箋情報テーブル６００内の付箋ＩＤ欄６１０、貼付位置６１５、作成日時欄６２５を用いた場合の貼付位置６１５を設定するものである
共有画面貼り付け位置確定処理モジュール１８５は、端末付箋制御モジュール１７５と接続されている。共有画面貼り付け位置確定処理モジュール１８５は、端末付箋位置指定記録モジュール１８０によって「付箋の貼り付け位置の予約」が行われた日時を記録する。前述したように付箋の貼り付け位置の予約として、付箋情報テーブル６００内の付箋ＩＤ欄６１０、貼付位置６１５、作成日時欄６２５を用いた場合の作成日時欄６２５を設定するものである
【００３８】
図２は、本実施の形態を利用した付箋システムの構成例を示す説明図である。共有付箋情報処理装置２００は、一般的に大画面の表示装置を備えており、ファシリテーターによって操作される。この表示装置は、参加者全員が見ることができるものである。各電子付箋端末１５０は、会合における参加者によって操作され、一般的には、各参加者が１台ずつ所持している。例えば、電子付箋端末１５０として、タブレット型端末等が使用される。
図２（ａ１）の例では、共有付箋情報処理装置２００が、電子付箋制御装置１００を有している。そして、共有付箋情報処理装置２００、電子付箋端末１５０Ａ、電子付箋端末１５０Ｂ、電子付箋端末１５０Ｃは、通信回線１９９を介してそれぞれ接続されている。通信回線１９９は、無線、有線、これらの組み合わせであってもよく、例えば、通信インフラとしてのインターネット、イントラネット等であってもよい。この場合、電子付箋制御装置１００は、共有付箋情報処理装置２００の画面に表示される台紙、付箋に対する処理を行う。そして、共有付箋情報処理装置２００の画面の表示を、各電子付箋端末１５０に送信する。
【００３９】
図２（ａ２）の例では、電子付箋制御装置１００、共有付箋情報処理装置２００、電子付箋端末１５０Ａ、電子付箋端末１５０Ｂ、電子付箋端末１５０Ｃは、通信回線１９９を介してそれぞれ接続されている。この場合、共有付箋情報処理装置２００、各電子付箋端末１５０が、通信回線１９９を介して、電子付箋制御装置１００を利用する。電子付箋制御装置１００の制御にしたがって、共有付箋情報処理装置２００、各電子付箋端末１５０の画面に台紙、付箋を表示する。また、電子付箋制御装置１００による機能は、クラウドサービスとして実現してもよい。
【００４０】
図２（ｂ）の例では、会議室２８０には、共有付箋情報処理装置２００、電子付箋端末１５０Ａ、電子付箋端末１５０Ｂ、電子付箋端末１５０Ｃが設置されており、会合が行われる。共有付箋情報処理装置２００、電子付箋端末１５０Ａ、電子付箋端末１５０Ｂ、電子付箋端末１５０Ｃは、通信回線２９９を介してそれぞれ接続されている。そして、電子付箋制御装置１００、付箋情報記憶装置２９４、会議室２８０内の機器は、通信回線１９９を介してそれぞれ接続されている。また、電子付箋制御装置１００、付箋情報記憶装置２９４による機能は、クラウドサービスとして実現してもよい。
付箋情報記憶装置２９４は、付箋に関する情報を記憶しており、電子付箋制御装置１００は、付箋情報記憶装置２９４を用いて処理を行う。この場合、共有付箋情報処理装置２００が電子付箋制御装置１００を利用して、共有付箋情報処理装置２００の画面の表示を、各電子付箋端末１５０に送信し、各電子付箋端末１５０の画面にそれを表示するようにしてもよい。また、共有付箋情報処理装置２００、各電子付箋端末１５０のそれぞれが、電子付箋制御装置１００を利用するようにしてもよい。
【００４１】
図３は、本実施の形態が使用される会議室等の例、共有付箋情報処理装置２００、電子付箋端末１５０の使用例を示す説明図である。
図３（ａ）の例に示すように、会議室等内に、参加者３１１、３１２、ファシリテーター３２１が集まっている。参加者３１１は電子付箋端末１５０Ａを利用し、参加者３１２は電子付箋端末１５０Ｂを利用する。一般的に、端末装置（電子付箋端末１５０Ａ等）は参加者一人に１個付与されており、図３（ｃ）の例に示す電子付箋端末１５０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す共有付箋情報処理装置２００ｘは、プロジェクターであって、台紙及び付箋を表示する。また、共有付箋情報処理装置２００ｙは、電子白板であって、ファシリテーター３２１の指又はペン等の動きを検知して、付箋を台紙（表）に貼り付けること、付箋の移動、付箋の関連付け（グループ化）を行うこと等の操作を受け付けるものである。例えば、共有付箋情報処理装置２００ｙにペンが備えられており、そのペンが予め定められたペン置きから離れたこと（ファシリテーター３２１が操作するためにペンを持ち上げたこと）、そしてペンの先端の位置（ペン先端が共有付箋情報処理装置２００ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、共有付箋情報処理装置２００ｙの表示画面全体がタッチセンサーであり、表示画面に触れられた位置、圧力を検知すればよい。
また、共有付箋情報処理装置２００は、図３（ｂ）の例に示すような電子ボードであってもよい。電子ボードは、一般的に大画面の表示装置（少なくとも、電子付箋端末１５０の表示装置よりも大きい）を有しており、その表示装置はタッチパネルであり、表示画面に触れられた位置、圧力を検知する。例えば、画面として、８０インチ等の大きさを備えたものであってもよい。
【００４２】
図４は、本実施の形態による処理例を示すフローチャートである。
ステップＳ４０２では、参加者の操作にしたがって、電子付箋端末１５０で付箋を作成する。
ステップＳ４０４では、参加者の操作にしたがって、電子付箋端末１５０でその付箋の貼り付け位置を指定する。
ステップＳ４０６では、電子付箋端末１５０から電子付箋制御装置１００に付箋貼り付けを指定（送信）する。
【００４３】
ステップＳ４０８では、共有画面付箋制御モジュール１２０は、貼り付け位置を指定した際（貼り付け位置の予約時点）において、付箋の貼り付け位置の近傍に付箋があったか否かを判断し、あった場合はステップＳ４１０へ進み、それ以外の場合はステップＳ４１４へ進む。
ステップＳ４１０では、共有画面付箋制御モジュール１２０は、ステップＳ４０８で抽出した付箋（近傍にあった付箋）は予め定めた距離以上の移動があったか否かを判断し、あった場合はステップＳ４１２へ進み、それ以外の場合はステップＳ４１４へ進む。つまり、貼り付け位置の予約時点と現在における付箋（近傍にあった付箋）の移動距離が警告を提示すべきものであるか否かを判断している。
ステップＳ４１２では、共有画面付箋制御モジュール１２０は、指定位置への貼り付けに対する警告を表示する。
ステップＳ４１４では、共有画面付箋制御モジュール１２０は、指定された位置に付箋を貼り付ける。
【００４４】
図５は、本実施の形態による処理例を示す説明図である。共有付箋情報処理装置２００は、画面５１０を表示する。また、電子付箋端末１５０内に画面５９０ａと画面５９０ｂがあることを示しているが、これは、電子付箋端末１５０の画面に画面５９０ａを表示した後に、画面５９０ｂを表示することを示している。また、電子付箋端末１５０の画面に画面５９０ａと画面５９０ｂの両方を表示してもよい。画面５９０ａには、共有付箋情報処理装置２００の画面５１０の縮小画面を表示しており、最初は台紙上に付箋５５６ｂ、付箋５５８ｂ、付箋５６０ｂが貼り付けられている状態である。
【００４５】
ステップＳ５０２では、参加者の操作によって、電子付箋端末１５０は付箋を作成する。なお、ここでの作成は、新規作成であって、内容までの作成までは含まなくてもよい。つまり、付箋の完成までは不要である。図５の例では、付箋作成領域５５４内で、付箋５５２を作成している。この時点での日時が、端末付箋位置指定記録モジュール１８０によって記録される。
ステップＳ５０４では、付箋の貼り付け位置を指定する。なお、この時点では、共有付箋情報処理装置２００の画面５１０上にはまだ付箋は貼り付けられていない。図５の例では、画面５９０ａ内で付箋５５２を貼り付ける。この例では、付箋５５６ｂ、付箋５５８ｂ、付箋５６０ｂに囲まれている位置である。この後、付箋５５２の内容を作成し、付箋５５２を完成させる。
【００４６】
ステップＳ５０６では、参加者の操作にしたがって、画面５９０ｂ内の保存一覧から付箋を送信する。なお、画面５９０ｂは、電子付箋端末１５０で作成された付箋で、共有付箋情報処理装置２００に送信可能な付箋の一覧を表示している。
ステップＳ５０８では、付箋を貼り付ける際に以下を判定し、判定結果にしたがって変化をユーザーに知らせる。
（１）ステップＳ５０４で指定された貼り付け位置の近傍（図５では点線の楕円内）にある付箋の変化の有無を判定する。
（２）変化の量が予め定められた値以上か否かを判定する。
例えば、ステップＳ５０４の時点では、ステップＳ５０４で指定された貼り付け位置の近傍には、付箋５５６ａ、付箋５５８ａ、付箋５６０ａの３つの付箋があったが、現在では付箋５５６ａ、付箋５５８ａだけとなっており、付箋５６０ａは付箋５６０ｃの位置へと移動している。
【００４７】
図１０は、本実施の形態による処理例を示す説明図である。画面５１０は共有付箋情報処理装置２００の画面であり、画面５９０は電子付箋端末１５０の画面である。
図１０（ａ）の例では、画面５１０内に５つの付箋（付箋１０５４ａ、付箋１０５６ａ、付箋１０５８ａ、付箋１０６０ａ、付箋１０６２ａ）を表示していることを示している。
図１０（ｂ）の例では、参加者の操作にしたがって、その５つのコメントを代表する付箋１０５２（例えば、「グループ名」付箋）を、電子付箋端末１５０で作成し、操作指１０８２を用いて、貼り付け位置を指定していることを示している。共有付箋情報処理装置２００の画面５１０で付箋１０５２を貼り付ける前に、その付箋１０５２の貼り付ける位置を指定していることの一例を示している。なお、図１０（ｂ）の例では、画面５９０は、画面５１０の縮小画面を表示しており、貼り付け位置の指定は、その縮小画面上で行われている。つまり、画面５９０には、画面５１０に対応して、５つの付箋（付箋１０５４ｂ、付箋１０５６ｂ、付箋１０５８ｂ、付箋１０６０ｂ、付箋１０６２ｂ）が表示されている。
【００４８】
図１０（ｃ）の例では、その後、共有付箋情報処理装置２００の画面５１０上で、既に貼られている付箋（図１０（ａ）の例に示す付箋１０５４ａ、付箋１０５６ａ）の移動（移動１０７２、移動１０７４）が発生したことを示している（図１０（ｃ）の例に示す付箋１０５４ａ、付箋１０５６ａ）。
図１０（ｄ）の例では、付箋１０５２（「グループ名」付箋）を、共有付箋情報処理装置２００に送信する操作を示している。具体的には、送信可能な付箋１０６４、付箋１０６６、付箋１０５２を表示し、その下にはチェックボックスが付されており、操作指１０８４によって付箋１０５２が選択され、「選択した付箋を送信」ボタン１０８０が押下される。
【００４９】
図１０（ｅ）の例では、新規な付箋１０５２ａが貼り付けられたら、貼り付け位置の既定範囲内の付箋状態変化量を判定することを示している。具体的には、付箋１０５２ａを図１０（ｂ）の例で示した位置に貼り付ける。そして、付箋１０５２ａの近傍である判定範囲１０９０内において、予約時点（図１０（ｂ）の例の時点）から移動した付箋（付箋１０５４ａ、付箋１０５６ａ）を抽出し、その移動距離（移動距離（ａ）１０９２、移動距離（ｂ）１０９４）を算出する。
図１０（ｆ）の例では、予め定められた閾値以上の距離の移動（変化）があると判断した場合、その変化をユーザーに知らせる。例えば、付箋１０５２ａの周辺を点滅表示し、付箋１０５４ａ、付箋１０５６ａも点滅表示し、さらにその移動軌跡を表示する。もちろんのことながら、この表示は例示であって、警告文（予約時点から変更があった旨）の表示、色の変更、警告音の出力等であってもよい。
【００５０】
図１１は、本実施の形態による処理例を示すフローチャートである。図５の例に示したフローチャートにステップＳ１１１０を付加したものである。
ステップＳ１１０２では、参加者の操作にしたがって、電子付箋端末１５０で付箋を作成する。
ステップＳ１１０４では、参加者の操作にしたがって、電子付箋端末１５０でその付箋の貼り付け位置を指定する。
ステップＳ１１０６では、電子付箋端末１５０から電子付箋制御装置１００に付箋貼り付けを指定（送信）する。
【００５１】
ステップＳ１１０８では、共有画面付箋制御モジュール１２０は、貼り付け位置を指定した際（貼り付け位置の予約時点）において、付箋の貼り付け位置の近傍に付箋があったか否かを判断し、あった場合はステップＳ１１１２へ進み、それ以外の場合はステップＳ１１１０へ進む。
ステップＳ１１１０では、現在の付箋貼り付け位置近傍には、貼り付け指定された時点と比べて、新たな付箋があるか否かを判断し、ある場合はステップＳ１１１４へ進み、それ以外の場合はステップＳ１１１６へ進む。つまり、付箋の貼り付け位置の近傍に付箋が新しく貼り付けられた場合は警告を提示することになる。
【００５２】
ステップＳ１１１２では、共有画面付箋制御モジュール１２０は、ステップＳ１１０８で抽出した付箋（近傍にあった付箋）は予め定めた距離以上の移動があったか否かを判断し、あった場合はステップＳ１１１４へ進み、それ以外の場合はステップＳ１１１０へ進む。
ステップＳ１１１４では、共有画面付箋制御モジュール１２０は、指定位置への貼り付けに対する警告を表示する。
ステップＳ１１１６では、共有画面付箋制御モジュール１２０は、指定された位置に付箋を貼り付ける。
【００５３】
図１２（ａ）の例では、画面５１０ａ上で、付箋１２６２ａが貼り付けられており、この時点で付箋１２５２の貼り付け予約が行われたことを示している。その後、付箋１２６２ａが、移動１２７２し、図１２（ｂ）の例に示すように付箋１２６２ｂの位置に移動した。つまり、貼り付け予約した時点では他の付箋と重複する位置を指定していたが、重複していた付箋（実際は、予約時点では貼り付けられていないので重複そのものは発生していないが、予約時点で貼り付けを行ったならば重複していた付箋）が移動した場合を示している。この場合は、警告を提示するケースに該当する。
【００５４】
図１３（ａ）の例では、画面５１０ａ上で、付箋１３６２ａ、付箋１３６４が貼り付けられており、この時点で付箋１３５２の貼り付け予約が行われたことを示している。その後、付箋１３６２ａが、移動１３７２し、図１３（ｂ）の例に示すように付箋１３６２ｂの位置に移動した。つまり、貼り付け予約した時点では他の複数の付箋と重複する位置を指定していたが、重複していた付箋が移動した場合を示している。この場合は、警告を提示するケースに該当する。
【００５５】
図１４（ａ）の例では、画面５１０ａ上で、付箋１４６２ａ、付箋１４６４が貼り付けられており、この時点で付箋１４５２の貼り付け予約が行われたことを示している。その後、付箋１４６２ａが、移動１４７２し、図１４（ｂ）の例に示すように付箋１４６２ｂの位置に移動した。つまり、貼り付け予約した時点では他の付箋と重複しない位置を指定していたが、近傍にある付箋が移動した場合を示している。この場合は、移動１４７２の距離が、予め定められた距離以上である場合は、警告を提示するケースに該当する。
【００５６】
ただし、図１２から図１４の例で示した状態で警告を提示することが好ましいか、好ましくないかは以下に依存する。
Ａ）ユーザーが、新たに作成した付箋の位置として、縦線の付箋（付箋１２６２ａ、付箋１３６２ａ、付箋１４６２ａ）の近くを意図したか。
Ｂ）新たに作成した付箋と縦線の付箋（付箋１２６２ａ、付箋１３６２ａ、付箋１４６２ａ）の位置関係が著しく変化したか（距離の変化）。
図１２から図１４に示した例では、前記Ｂが同じ変化であっても、前記Ａの意図は異なると考えるのが自然である。このため、警告を提示するか否かの判断は、近傍と判断する距離にある全て（又はその一部）の付箋の状態で判断することがより好ましい。
【００５７】
そこで、「予め定められた条件（Ａ’）」として、指定された際の予約位置の近傍における他の付箋が複数ある場合は、予め定められた割合（例えば、５０％）より多い又は以上の付箋が、貼り付ける際において予め定められた距離より遠く又は以上に移動したこととしてもよい。
また、「予め定められた条件（Ｂ’）」として、貼り付ける際において予約位置の近傍における他の付箋数に対して、指定された際にはなかった付箋の割合が予め定められた割合（例えば、５０％）より多い又は以上であることとしてもよい。
また、「予め定められた条件（Ｃ’）」として、指定された際の予約位置に付箋を貼り付けたならば、その付箋と重なる付箋数に対して、貼り付ける際では重ならない付箋が予め定められた割合（例えば、５０％）より多い又は以上であることとしてもよい。
これらによって、前述の警告を提示する条件（Ａ、Ｂ、Ｃ）を満たす付箋の割合が予め定められた割合より多い又は以上でないと、警告を提示しないことになる。
【００５８】
なお、本実施の形態としてのプログラムが実行されるコンピュータ（電子付箋制御装置１００、電子付箋端末１５０）のハードウェア構成は、図１５に例示するように、一般的なコンピュータであり、具体的にはパーソナルコンピュータ、サーバーとなり得るコンピュータ等である。つまり、具体例として、処理部（演算部）としてＣＰＵ１５０１を用い、記憶装置としてＲＡＭ１５０２、ＲＯＭ１５０３、ＨＤ１５０４を用いている。ＨＤ１５０４として、例えばハードディスク、ＳＳＤ（Ｓｏｌｉｄ  Ｓｔａｔｅ  Ｄｒｉｖｅ）を用いてもよい。データ送受信モジュール１０５、共有画面表示モジュール１１０、付箋操作処理モジュール１１５、共有画面付箋制御モジュール１２０、共有画面操作履歴記録モジュール１２５、近傍付箋判定モジュール１３０、付箋移動判定モジュール１３５、データ送受信モジュール１５５、共有画面表示モジュール１６０、付箋操作処理モジュール１６５、付箋作成モジュール１７０、端末付箋制御モジュール１７５、端末付箋位置指定記録モジュール１８０、共有画面貼り付け位置確定処理モジュール１８５等のプログラムを実行するＣＰＵ１５０１と、そのプログラムやデータを記憶するＲＡＭ１５０２と、本コンピュータを起動するためのプログラム等が格納されているＲＯＭ１５０３と、付箋情報テーブル６００、付箋情報テーブル７００、台紙情報テーブル８００、履歴テーブル９００等を記憶する補助記憶装置（フラッシュ・メモリ等であってもよい）であるＨＤ１５０４と、キーボード、マウス、タッチスクリーン、マイク等に対する利用者の操作に基づいてデータを受け付ける受付装置１５０６と、ＣＲＴ、液晶ディスプレイ、プロジェクター、スピーカー等の出力装置１５０５と、ネットワークインタフェースカード等の通信ネットワークと接続するための通信回線インタフェース１５０７、そして、それらをつないでデータのやりとりをするためのバス１５０８により構成されている。これらのコンピュータが複数台互いにネットワークによって接続されていてもよい。
【００５９】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１５に示すハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００６０】
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００６１】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６２】
１００…電子付箋制御装置
１０５…データ送受信モジュール
１１０…共有画面表示モジュール
１１５…付箋操作処理モジュール
１２０…共有画面付箋制御モジュール
１２５…共有画面操作履歴記録モジュール
１３０…近傍付箋判定モジュール
１３５…付箋移動判定モジュール
１５０…電子付箋端末
１５５…データ送受信モジュール
１６０…共有画面表示モジュール
１６５…付箋操作処理モジュール
１７０…付箋作成モジュール
１７５…端末付箋制御モジュール
１８０…端末付箋位置指定記録モジュール
１８５…共有画面貼り付け位置確定処理モジュール
１９９…通信回線
２００…共有付箋情報処理装置
２８０…会議室
２９４…付箋情報記憶装置
２９９…通信回線
３１１…参加者
３１２…参加者
３２１…ファシリテーター
【図１】
0006627592.tif 000002
【図２】
0006627592.tif 000003
【図３】
0006627592.tif 000004
【図４】
0006627592.tif 000005
【図５】
0006627592.tif 000006
【図６】
0006627592.tif 000007
【図７】
0006627592.tif 000008
【図８】
0006627592.tif 000009
【図９】
0006627592.tif 000010
【図１０】
0006627592.tif 000011
【図１１】
0006627592.tif 000012
【図１２】
0006627592.tif 000013
【図１３】
0006627592.tif 000014
【図１４】
0006627592.tif 000015
【図１５】
0006627592.tif 000016